(57)【要約】【課題】１つのコネクタハウジングに複数種類の電線の端末部が取り付けられている場合でも、電線を同一種類毎に分別できるようにする。【解決手段】ワイヤーハーネス１０は、第１電線２１Ａに固着した第１端子金具２４Ａと、第１電線２１Ａとは異なる材料が用いられ、外径が第１電線２１Ａとほぼ同じである第２電線２１Ｂと、第２電線２１Ｂに固着された第２端子金２４Ｂ具と、第１端子金具２４Ａだけを後方から挿入させる第１端子収容室１４Ａと、第２端子金具２４Ｂだけを後方から挿入させる第２端子収容室１４Ｂと、第１端子収容室１４Ａに挿入された第１端子金具２４Ａの抜取り方向の変位を規制する第１係止部１７Ａ（第１規制部）と、第２端子収容室１４Ｂに挿入された第２端子金具２４Ｂを第１係止部１７Ａと同じ方向に変位規制可能であって、規制強度が第１係止部１７Ａと異なる第２係止部１７Ｂ（第２規制部）を備える。【選択図】図２
2014035979.tif 000002
【特許請求の範囲】
【請求項１】
第１電線と、
前記第１電線の前端部に固着された第１端子金具と、
前記第１電線とは異なる材料が用いられ、外径が前記第１電線とほぼ同じである第２電線と、
前記第２電線の前端部に固着された第２端子金具と、
コネクタハウジングと、
前記コネクタハウジング内に形成され、前記第１端子金具だけを後方から挿入させる第１端子収容室と、
前記コネクタハウジング内に形成され、前記第２端子金具だけを後方から挿入させる第２端子収容室と、
前記コネクタハウジングに設けられ、前記第１端子収容室に挿入された前記第１端子金具の抜取り方向又は挿入方向への変位を規制する第１規制部と、
前記コネクタハウジングに設けられ、前記第２端子収容室に挿入された前記第２端子金具を前記第１規制部と同じ方向に変位規制可能であって、規制強度が前記第１規制部とは異なる第２規制部とを備えていることを特徴とするワイヤーハーネス。
【請求項２】
前記第１端子収容室に正規挿入された前記第１端子金具及び前記第２端子収容室に正規挿入された前記第２端子金具に係止することで、その第１端子金具及び第２端子金具の抜取り方向の変位を規制するリテーナと、
前記第１端子金具に対する係止手段として前記リテーナに形成され、前記第１規制部を構成する第１係止部と、
前記第２端子金具に対する係止手段として前記リテーナに形成され、前記第２端子金具との係止力が前記第１係止部と前記第１端子金具との係止力よりも小さく、前記第２規制部を構成する第２係止部とを備えていることを特徴とする請求項１記載のワイヤーハーネス。
【請求項３】
前記第１規制部を構成し、前記第１端子収容室に正規挿入された前記第１端子金具に係止することでその第１端子金具の抜取り方向の変位を規制する弾性撓み可能な第１ランスと、
前記第２規制部を構成し、前記第２端子収容室に正規挿入された前記第２端子金具に係止することでその第２端子金具の抜取り方向の変位を規制し、係止力が前記第１ランスよりも小さい弾性撓み可能な第２ランスとを備えていることを特徴とする請求項１又は請求項２記載のワイヤーハーネス。
【請求項４】
前記第１規制部を構成し、前記第１端子収容室に正規挿入された前記第１端子金具を当接させることで前止まりする第１前面壁と、
前記第２規制部を構成し、前記第２端子収容室に正規挿入された前記第２端子金具を当接させることで前止まりし、後方からの押圧力に抗する破壊強度が前記第１規制部よりも小さい第２前面壁とを備えていることを特徴とする請求項１ないし請求項３のいずれか１項に記載のワイヤーハーネス。
【請求項５】
前記第１電線の前端部に固着された前記第１端子金具だけを後方から挿入させる第１端子収容室と、
前記第１電線とは異なる材料が用いられ、外径が前記第１電線とほぼ同じである第２電線の前端部に固着された前記第２端子金具だけを後方から挿入させる第２端子収容室と、
前記第１端子収容室に挿入された前記第１端子金具の抜取り方向又は挿入方向への変位を規制する第１規制部と、
前記第２端子収容室に挿入された前記第２端子金具を前記第１規制部と同じ方向に変位規制可能であって、規制強度が前記第１規制部とは異なる第２規制部とを備えていることを特徴とするコネクタハウジング。
【請求項６】
前記第１端子収容室に正規挿入された前記第１端子金具及び前記第２端子収容室に正規挿入された前記第２端子金具に係止することで、その第１端子金具及び第２端子金具の抜取り方向の変位を規制するリテーナと、
前記第１端子金具に対する係止手段として前記リテーナに形成され、前記第１規制部を構成する第１係止部と、
前記第２端子金具に対する係止手段として前記リテーナに形成され、前記第２端子金具との係止力が前記第１係止部と前記第１端子金具との係止力よりも小さく、前記第２規制部を構成する第２係止部とを備えていることを特徴とする請求項５記載のコネクタハウジング。
【請求項７】
前記第１規制部を構成し、前記第１端子収容室に正規挿入された前記第１端子金具に係止することでその第１端子金具の抜取り方向の変位を規制する弾性撓み可能な第１ランスと、
前記第２規制部を構成し、前記第２端子収容室に正規挿入された前記第２端子金具に係止することでその第２端子金具の抜取り方向の変位を規制し、係止力が前記第１ランスよりも小さい弾性撓み可能な第２ランスとを備えていることを特徴とする請求項５又は請求項６記載のコネクタハウジング。
【請求項８】
前記第１規制部を構成し、前記第１端子収容室に正規挿入された前記第１端子金具を当接させることで前止まりする第１前面壁と、
前記第２規制部を構成し、前記第２端子収容室に正規挿入された前記第２端子金具を当接させることで前止まりし、後方からの押圧力に抗する破壊強度が前記第１規制部よりも小さい第２前面壁とを備えていることを特徴とする請求項５ないし請求項７のいずれか１項に記載のコネクタハウジング。
【発明の詳細な説明】
【技術分野】
【０００１】
本発明は、ワイヤーハーネス及びコネクタハウジングに関するものである。
【背景技術】
【０００２】
特許文献１には、リサイクルの際に容易に分別できるようにしたワイヤーハーネスが開示されている。このワイヤーハーネスは、導体の材質が共通である第１サブハーネスと、導体の材質が第１サブハーネスとは異なる第２サブハーネスとを束ねて構成されている。リサイクルの際には、ワイヤーハーネスを第１サブハーネスと第２サブハーネスとに分離することによって、導体を材質毎に分別することができる。
【先行技術文献】
【特許文献】
【０００３】
【特許文献１】特開２００７−０５９２９８号公報
【発明の概要】
【発明が解決しようとする課題】
【０００４】
上記特許文献１のワイヤーハーネスでは、１つのサブハーネスの端末部が１つのコネクタハウジングに取り付けられているが、これとは異なる形態のワイヤーハーネスとして、１つのコネクタハウジングに、導体の材料が異なる２種類の電線の端末部を取り付けるものも考えられる。このような形態のワイヤーハーネスの場合、特許文献１に記載された方法では、導体の材料が異なる電線を分別することができない。
本発明は上記のような事情に基づいて完成されたものであって、１つのコネクタハウジングに複数種類の電線の端末部が取り付けられている場合でも、電線を同一種類毎に分別できるようにすることを目的とする。
【課題を解決するための手段】
【０００５】
第１の発明のワイヤーハーネスは、
第１電線と、
前記第１電線の前端部に固着された第１端子金具と、
前記第１電線とは異なる材料が用いられ、外径が前記第１電線とほぼ同じである第２電線と、
前記第２電線の前端部に固着された第２端子金具と、
コネクタハウジングと、
前記コネクタハウジング内に形成され、前記第１端子金具だけを後方から挿入させる第１端子収容室と、
前記コネクタハウジング内に形成され、前記第２端子金具だけを後方から挿入させる第２端子収容室と、
前記コネクタハウジングに設けられ、前記第１端子収容室に挿入された前記第１端子金具の抜取り方向又は挿入方向への変位を規制する第１規制部と、
前記コネクタハウジングに設けられ、前記第２端子収容室に挿入された前記第２端子金具を前記第１規制部と同じ方向に変位規制可能であって、規制強度が前記第１規制部とは異なる第２規制部とを備えているところに特徴を有する。
【０００６】
第２の発明のコネクタハウジングは、
前記第１電線の前端部に固着された前記第１端子金具だけを後方から挿入させる第１端子収容室と、
前記第１電線とは異なる材料が用いられ、外径が前記第１電線とほぼ同じである第２電線の前端部に固着された前記第２端子金具だけを後方から挿入させる第２端子収容室と、
前記第１端子収容室に挿入された前記第１端子金具の抜取り方向又は挿入方向への変位を規制する第１規制部と、
前記第２端子収容室に挿入された前記第２端子金具を前記第１規制部と同じ方向に変位規制可能であって、規制強度が前記第１規制部とは異なる第２規制部とを備えているところに特徴を有する。
【発明の効果】
【０００７】
第１の発明及び第２の発明によれば、第１電線と第２電線に対し、第１規制部及び第２規制部による規制に抗する向きの外力を付与すると、第１規制部と第２規制部のうち規制強度の弱い側の規制部だけが規制機能を失い、その規制機能が失われた規制部によって変位規制されていた端子金具が、変位規制を解除される。電線に抜取り又は挿入方向の外力を付与すれば、端子金具が変位するか否かに基づいて、第１電線と第２電線を分別することができる。
【図面の簡単な説明】
【０００８】
【図１】実施例１において第１端子金具と第２端子金具が抜止めされている状態をあらわす断面図
【図２】第２端子金具が抜き取り方向への変位規制を解除され、第１電線と第２電線を分別している状態をあらわす断面図
【図３】実施例２において第１端子金具と第２端子金具が抜止めされている状態をあらわす断面図
【図４】第２端子金具が抜き取り方向への変位規制を解除され、第１電線と第２電線を分別している状態をあらわす断面図
【図５】実施例３において第１端子金具と第２端子金具が前止まりされている状態をあらわす断面図
【図６】コネクタハウジングの正面図
【図７】第２端子金具が挿入方向への変位規制を解除され、第１電線と第２電線を分別している状態をあらわす断面図
【発明を実施するための形態】
【０００９】
本発明のワイヤーハーネス及びコネクタハウジングは、
前記第１端子収容室に正規挿入された前記第１端子金具及び前記第２端子収容室に正規挿入された前記第２端子金具に係止することで、その第１端子金具及び第２端子金具の抜取り方向の変位を規制するリテーナと、
前記第１端子金具に対する係止手段として前記リテーナに形成され、前記第１規制部を構成する第１係止部と、
前記第２端子金具に対する係止手段として前記リテーナに形成され、前記第２端子金具との係止力が前記第１係止部と前記第１端子金具との係止力よりも小さく、前記第２規制部を構成する第２係止部とを備えていてもよい。
この構成によれば、第１電線と第２電線の双方に抜取り方向の外力を付与すると、第１係止部による係止機能が維持されるのに対し、第１係止部より係止力の小さい第２係止部においては係止機能が失われる。これにより、第１端子金具が変位規制された状態のままで、第２端子金具が規制解除されて抜き取り方向へ変位するので、第１電線と第２電線を分別できる。
【００１０】
本発明のワイヤーハーネス及びコネクタハウジングは、
前記第１規制部を構成し、前記第１端子収容室に正規挿入された前記第１端子金具に係止することでその第１端子金具の抜取り方向の変位を規制する弾性撓み可能な第１ランスと、
前記第２規制部を構成し、前記第２端子収容室に正規挿入された前記第２端子金具に係止することでその第２端子金具の抜取り方向の変位を規制し、係止力が前記第１ランスよりも小さい弾性撓み可能な第２ランスとを備えていてもよい。
この構成によれば、第１電線と第２電線の双方に抜取り方向の外力を付与すると、第１ランスによる係止機能が維持されるのに対し、第１ランスより係止力の小さい第２ランスにおいては係止機能が失われる。これにより、第１端子金具が変位規制された状態のままで、第２端子金具が規制解除されて抜き取り方向へ変位するので、第１電線と第２電線を分別できる。
【００１１】
本発明のワイヤーハーネス及びコネクタハウジングは、
前記第１規制部を構成し、前記第１端子収容室に正規挿入された前記第１端子金具を当接させることで前止まりする第１前面壁と、
前記第２規制部を構成し、前記第２端子収容室に正規挿入された前記第２端子金具を当接させることで前止まりし、後方からの押圧力に抗する破壊強度が前記第１規制部よりも小さい第２前面壁とを備えていてもよい。
この構成によれば、第１電線と第２電線の双方に挿入方向の外力を付与すると、第１前面壁による前止まり機能が維持されるのに対し、第１前面壁よりも破壊強度の小さい第２前面壁は破壊されて前止まり機能を失う。これにより、第１端子金具が前止まりされた状態のままで、第２端子金具が前止まりを解除されて挿入方向へ変位するので、第１電線と第２電線を分別できる。
【００１２】
＜実施例１＞
以下、本発明を具体化した実施例１を図１〜図２を参照して説明する。本実施例１のワイヤーハーネス１０は、１つのコネクタハウジング１１と、第１導電路２０Ａと、第２導電路２０Ｂとを備えて構成されている。尚、以下の説明において、前後方向については、図１，２の左側を前側ということにする。
【００１３】
コネクタハウジング１１は、単一部材からなる合成樹脂製のハウジング本体１２と、ハウジング本体１２に組み付けられる合成樹脂製のリテーナ１３とを備えて構成されている。ハウジング本体１２の内部には、ハウジング本体１２を前後方向に貫通する第１端子収容室１４Ａと、同じくハウジング本体１２を前後方向に貫通する第２端子収容室１４Ｂとが形成されている。同じくハウジング本体１２の内部には、その外壁面に開口する収容空間１５が形成されている。収容空間１５は、リテーナ１３を収容するための空間であり、第１端子収容室１４Ａと第２端子収容室１４Ｂの双方に連通している。
【００１４】
第１端子収容室１４Ａ内には、コネクタハウジング１１の後方から第１導電路２０Ａの前端部（第１端子金具２４Ａ）だけが挿入されるようになっており、第２導電路２０Ｂの前端部（第２端子金具２４Ｂ）は挿入されないように作業マニュアルに定められている。また、第２端子収容室１４Ｂ内には、コネクタハウジング１１の後方から第２導電路２０Ｂの前端部（第２端子金具２４Ｂ）だけが挿入されるようになっており、第１導電路２０Ａの前端部（第１端子金具２４Ａ）は挿入されないように作業マニュアルに定められている。第１導電路２０Ａを構成してコネクタハウジング１１の外部後方へ導出された第１電線２１Ａと、第２導電路２０Ｂを構成してコネクタハウジング１１の外部後方へ導出された第２電線２１Ｂは、導体の材料が互いに異なっている。したがって、１つのコネクタハウジング１１には、材料が異なる２種類の導電路２０Ａ，２０Ｂが接続されている。
【００１５】
リテーナ１３は、第１端子収容室１４Ａと対応する第１貫通孔１６Ａと、第２端子収容室１４Ｂと対応する第２貫通孔１６Ｂとを有する。第１貫通孔１６Ａの開口縁には突起状の第１係止部１７Ａ（本発明の構成要件である第１規制部）が形成され、第２貫通孔１６Ｂの開口縁には第２係止部１７Ｂ（本発明の構成要件である第２規制部）が形成されている。リテーナ１３は、図１，２に示す本係止位置と、図１，２よりもハウジング本体１２の外方へ変位した仮係止位置（図示省略）との間で、端子金具２４Ａ，２４Ｂの挿入・抜取り方向と交差する方向に変位し得るようになっている。
【００１６】
リテーナ１３が仮係止位置にある状態では、第１係止部１７Ａが、第１端子収容室１４Ａに挿入される第１端子金具２４Ａと非干渉の位置に退避するとともに、第２係止部１７Ｂが、第２端子収容室１４Ｂに挿入される第２端子金具２４Ｂと非干渉の位置に退避する。リテーナ１３が本係止位置に変位すると、第１係止部１７Ａが第１端子収容室１４Ａ内に進出するとともに、第２係止部１７Ｂが第２端子収容室１４Ｂ内に進出する。このときの、第１係止部１７Ａの進出寸法は、第２係止部１７Ｂの進出寸法よりも大きく設定されている。
【００１７】
第１導電路２０Ａは、第１電線２１Ａと、第１端子金具２４Ａとを備えて構成されている。第１電線２１Ａは、アルミニウム合金製の第１導体２２Ａを第１絶縁被覆２３Ａで包囲した単芯線からなる被覆電線である。第１端子金具２４Ａは、第１導体２２Ａとは異なる銅合金製であって、全体として前後方向に細長い形状に成形されている。第１端子金具２４Ａの前端部には第１角筒部２５Ａが形成され、後端部にはオープンバレル状をなす周知形態の第１圧着部２６Ａが形成されている。第１角筒部２５Ａの後端縁は、第１係止部１７Ａと係止するための第１当接部２７Ａとなっている。第１圧着部２６Ａには、第１電線２１Ａの前端部が圧着により接続されている。
【００１８】
第１端子金具２４Ａは、リテーナ１３が仮係止位置にある状態で、コネクタハウジング１１の後方から第１端子収容室１４Ａだけに挿入される。第１端子金具２４Ａが正規挿入された後は、リテーナ１３を本係止位置へ押し込む。リテーナ１３が本係止位置に変位すると、第１係止部１７Ａが、第１当接部２７Ａに当接（係止）した状態、又は第１当接部２７Ａに対し接近して対向した状態となる。したがって、第１電線２１Ａに後方への引張力（抜取り方向の外力）が付与されると、第１当接部２７Ａが第１係止部１７Ａに係止（当接）することにより、第１係止部１７Ａが変位規制機能を発揮し、第１端子金具２４Ａは抜取り方向の変位を規制された状態に保持される。
【００１９】
第２導電路２０Ｂは、第２電線２１Ｂと、第２端子金具２４Ｂとを備えて構成されている。第２電線２１Ｂは、銅合金製（つまり、第１導体２２Ａとは異なる金属材料）の第２導体２２Ｂを第２絶縁被覆２３Ｂで包囲した被覆電線である。第２電線２１Ｂと第１電線２１Ａの外径寸法は、殆ど同じである。しかも、第２絶縁被覆２３Ｂの材料と色は、いずれも第１絶縁被覆２３Ａと同じである。したがって、外観上、第１電線２１Ａと第２電線２１Ｂとを目視で識別することは困難となっている。
【００２０】
第２端子金具２４Ｂは、第１端子金具２４Ａ及び第２導体２２Ｂと同じく銅合金製であり、全体として前後方向に細長い形状に成形されている。第２端子金具２４Ｂの前端部には第２角筒部２５Ｂが形成され、後端部にはオープンバレル状をなす周知形態の第２圧着部２６Ｂが形成されている。第２角筒部２５Ｂの後端縁は、第２係止部１７Ｂと係止するための第２当接部２７Ｂとなっている。第２圧着部２６Ｂには、第２電線２１Ｂの前端部が圧着により接続されている。
【００２１】
第２端子金具２４Ｂは、リテーナ１３が仮係止位置にある状態で、コネクタハウジング１１の後方から第２端子収容室１４Ｂだけに挿入される。第２端子金具２４Ｂが正規挿入された後は、リテーナ１３を本係止位置へ押し込む。リテーナ１３が本係止位置に変位すると、第２係止部１７Ｂが、第２当接部２７Ｂに当接（係止）した状態、又は第２当接部２７Ｂに対し接近して対向した状態となる。したがって、第２電線２１Ｂに後方への引張力（抜取り方向の外力）が付与されると、第２当接部２７Ｂが第２係止部１７Ｂに係止（当接）することにより、第２係止部１７Ｂが変位規制機能を発揮し、第２端子金具２４Ｂは抜取り方向の変位を規制された状態に保持される。
【００２２】
リテーナ１３が本係止位置へ変位して、第１端子金具２４Ａと第２端子金具２４Ｂの抜取り方向への変位を規制している状態では、第１係止部１７Ａによる変位規制力（係止力）に比べて、第２係止部１７Ｂによる変位規制力（係止力）の方が小さい。この変位規制力は、端子金具２４Ａ，２４Ｂの挿入・抜取り方向と交差する方向であり、且つ係止部１７Ａ，１７Ｂが端子金具２４Ａ，２４Ｂ側へ進出する方向と同じ方向における、係止部１７Ａ，１７Ｂと当接部２７Ａ，２７Ｂとの係止代の大ききによって決まる。本実施例１では、第１係止部１７Ａと第１当接部２７Ａの係止代が、第２係止部１７Ｂと第２当接部２７Ｂの係止代より大きい。
【００２３】
第１導電路２０Ａと第２導電路２０Ｂがコネクタハウジング１１に接続されている状態で、第１電線２１Ａと第２電線２１Ｂを分別する際には、第１電線２１Ａと第２電線２１Ｂを同じ力で後方（抜取り方向）へ引っ張ればよい。もし、引っ張ったものが第２電線２１Ｂである場合は、第１係止部１７Ａに比べて係止力の弱い第２係止部１７Ｂが、第２端子金具２４Ｂから遠ざかる方向（図１，２における上方）へ変位して第２当接部２７Ｂから解離してしまう。したがって、第２端子金具２４Ｂが第１電線２１Ａに追従してコネクタハウジング１１の後方へ引き抜かれる。また、第２端子金具２４Ｂを抜き取るのに必要な引張力と同じ力で第１電線２１Ａが引っ張られた場合は、第１係止部１７Ａの係止力は第２係止部１７Ｂよりも大きいので、第１係止部１７Ａは第１当接部２７Ａに係止した状態を維持する。したがって、第１端子金具２４Ａが第１電線２１Ａと一緒にコネクタハウジング１１の外へ引き抜かれてしまうことはない。
【００２４】
本実施例１のワイヤーハーネス１０は、１つのコネクタハウジング１１に２種類の電線２１Ａ（導電路２０Ａ）の端末部が取り付けられているのであるが、この２種類の電線２１Ａ，２１Ｂを識別するための手段として、コネクタハウジング１１に、第１端子収容室１４Ａに挿入された第１端子金具２４Ａの抜取り方向の変位を規制する第１係止部１７Ａと、第２端子収容室１４Ｂに挿入された第２端子金具２４Ｂを第１規制部と同じく抜取り方向に変位規制し、規制強度が第１係止部１７Ａとは異なる第２係止部１７Ｂを設けている。
【００２５】
この構成によれば、第１電線２１Ａと第２電線２１Ｂに対し、第１係止部１７Ａ及び第２係止部１７Ｂによる規制に抗する向きの外力（抜取り力）を付与すると、第１係止部１７Ａと第２係止部１７Ｂのうち規制強度の弱い第２係止部１７Ｂだけが規制機能を失い、その規制機能が失われた第２係止部１７Ｂによって変位規制されていた第２端子金具２４Ｂが、変位規制を解除される。したがって、電線２１Ａ，２１Ｂに抜取り方向の外力を付与すれば、端子金具２４Ａ，２４Ｂが変位するか否かに基づいて、第１電線２１Ａと第２電線２１Ｂを同一種類毎に分別することができる。
【００２６】
＜実施例２＞
以下、本発明を具体化した実施例２を図３〜図４を参照して説明する。本実施例２のワイヤーハーネス３０は、１つのコネクタハウジング３１と、第１導電路４０Ａと、第２導電路４０Ｂとを備えて構成されている。尚、以下の説明において、前後方向については、図３，４の左側を前側ということにする。コネクタハウジング３１は、合成樹脂製であり、コネクタハウジング３１の内部には、コネクタハウジング３１を前後方向に貫通する第１端子収容室３２Ａと、同じくコネクタハウジング３１を前後方向に貫通する第２端子収容室３２Ｂとが形成されている。
【００２７】
第１端子収容室３２Ａの前端に近い位置には、第１端子収容室３２Ａの内壁面に沿って前方（第１端子収容室３２Ａに対する第１端子金具４４Ａの挿入方向と同じ方向）へ片持ち状に延出した形態の第１ランス３３Ａ（本発明の構成要件である第１規制部）が形成されている。第１ランス３３Ａは、弾性撓み可能であって前後方向に細長い第１弾性撓み部３４Ａと、第１弾性撓み部３４Ａの前端近くの位置から第１端子収容室３２Ａの内部に向かって突出する第１係止突起３５Ａとを一体に形成して構成されている。
【００２８】
第２端子収容室３２Ｂの前端に近い位置には、第２端子収容室３２Ｂの内壁面に沿って前方（第２端子収容室３２Ｂに対する第２端子金具４４Ｂの挿入方向と同じ方向）へ片持ち状に延出した形態の第２ランス３３Ｂ（本発明の構成要件である第２規制部）が形成されている。第２ランス３３Ｂは、弾性撓み可能であって前後方向に細長い第２弾性撓み部３４Ｂと、第２弾性撓み部３４Ｂの前端近くの位置から第２端子収容室３２Ｂの内部に向かって突出する第２係止突起３５Ｂとを一体に形成して構成されている。
【００２９】
第１端子収容室３２Ａ内には、コネクタハウジング３１の後方から第１導電路４０Ａの前端部（第１端子金具４４Ａ）だけが挿入されるようになっており、第２導電路４０Ｂの前端部（第２端子金具４４Ｂ）は挿入されないように作業マニュアルに定められている。また、第２端子収容室３２Ｂ内には、コネクタハウジング３１の後方から第２導電路４０Ｂの前端部（第２端子金具４４Ｂ）だけが挿入されるようになっており、第１導電路４０Ａの前端部（第１端子金具４４Ａ）は挿入されないように作業マニュアルに定められている。第１導電路４０Ａを構成してコネクタハウジング３１の外部後方へ導出された第１電線４１Ａと、第２導電路４０Ｂを構成してコネクタハウジング３１の外部後方へ導出された第２電線４１Ｂは、導体の材料が互いに異なっている。したがって、１つのコネクタハウジング３１には、材料が異なる２種類の導電路４０Ａ，４０Ｂが接続されている。
【００３０】
第１導電路４０Ａは、第１電線４１Ａと、第１端子金具４４Ａとを備えて構成されている。第１電線４１Ａは、アルミニウム合金製の第１導体４２Ａを第１絶縁被覆４３Ａで包囲した単芯線からなる被覆電線である。第１端子金具４４Ａは、第１導体４２Ａとは異なる銅合金製であって、全体として前後方向に細長い形状に成形されている。第１端子金具４４Ａの前端部には第１角筒部４５Ａが形成され、後端部にはオープンバレル状をなす周知形態の第１圧着部４６Ａが形成されている。第１角筒部４５Ａには、第１ランス３３Ａと係止するための第１係止孔４７Ａが形成されている。第１圧着部４６Ａには、第１電線４１Ａの前端部が圧着により接続されている。
【００３１】
第１端子金具４４Ａは、コネクタハウジング３１の後方から第１端子収容室３２Ａ内だけに挿入される。第１端子金具４４Ａの挿入過程では、第１角筒部４５Ａが第１係止突起３５Ａに当接して、第１ランス３３Ａが第１端子金具４４Ａから遠ざかる方向へ弾性撓みする。第１端子金具４４Ａが正規挿入されると、第１ランス３３Ａが弾性復帰して第１係止突起３５Ａが第１係止孔４７Ａ内に進入した状態となる。したがって、第１電線４１Ａに後方への引張力（抜取り方向の外力）が付与されると、第１係止孔４７Ａの孔縁が第１係止突起３５Ａに係止（当接）することにより、第１ランス３３Ａが変位規制機能を発揮し、第１端子金具４４Ａは抜取り方向の変位を規制された状態に保持される。
【００３２】
第２導電路４０Ｂは、第２電線４１Ｂと、第２端子金具４４Ｂとを備えて構成されている。第２電線４１Ｂは、銅合金製（つまり、第１導体４２Ａとは異なる金属材料）の第２導体４２Ｂを第２絶縁被覆４３Ｂで包囲した被覆電線である。第２電線４１Ｂと第１電線４１Ａの外径寸法は、殆ど同じである。しかも、第２絶縁被覆４３Ｂの材料と色は、いずれも第１絶縁被覆４３Ａと同じである。したがって、外観上、第１電線４１Ａと第２電線４１Ｂとを目視で識別することは困難となっている。
【００３３】
第２端子金具４４Ｂは、第１端子金具４４Ａ及び第２導体４２Ｂと同じく銅合金製であり、全体として前後方向に細長い形状に成形されている。第２端子金具４４Ｂの前端部には第２角筒部４５Ｂが形成され、後端部にはオープンバレル状をなす周知形態の第２圧着部４６Ｂが形成されている。第２角筒部４５Ｂには、第２ランス３３Ｂと係止するための第２係止孔４７Ｂが形成されている。第２圧着部４６Ｂには、第２電線４１Ｂの前端部が圧着により接続されている。
【００３４】
第２端子金具４４Ｂは、コネクタハウジング３１の後方から第２端子収容室３２Ｂだけに挿入される。第２端子金具４４Ｂの挿入過程では、第２角筒部４５Ｂが第２係止突起３５Ｂに当接して、第２ランス３３Ｂが第２端子金具４４Ｂから遠ざかる方向へ弾性撓みする。第２端子金具４４Ｂが正規挿入されると、第２ランス３３Ｂが弾性復帰して第２係止突起３５Ｂが第２係止孔４７Ｂ内に進入した状態となる。したがって、第２電線４１Ｂに後方への引張力（抜取り方向の外力）が付与されると、第２係止孔４７Ｂの孔縁が第２係止突起３５Ｂに係止（当接）することにより、第２ランス３３Ｂが変位規制機能を発揮し、第２端子金具４４Ｂは抜取り方向の変位を規制された状態に保持される。
【００３５】
第１ランス３３Ａが第１端子金具４４Ａの抜取り方向への変位を規制するとともに、第２ランス３３Ｂが第２端子金具４４Ｂの抜取り方向への変位を規制している状態では、第１ランス３３Ａによる変位規制力（係止力）に比べて、第２ランス３３Ｂによる変位規制力（係止力）の方が小さい。この変位規制力は、端子金具４４Ａ，４４Ｂの挿入・抜取り方向と交差する方向であり、且つランス３３Ａ，３３Ｂが弾性撓みする方向と同じ方向における、弾性撓み部３４Ａ，３４Ｂの厚さ寸法によって決まる。本実施例２では、第１弾性撓み部３４Ａの厚さ寸法が、第２弾性撓み部３４Ｂの厚さ寸法より大きい。
【００３６】
第１導電路４０Ａと第２導電路４０Ｂがコネクタハウジング３１に接続されている状態で、第１電線４１Ａと第２電線４１Ｂを分別する際には、第１電線４１Ａと第２電線４１Ｂを同じ力で後方（抜取り方向）へ引っ張ればよい。もし、引っ張ったものが第２電線４１Ｂである場合は、第１ランス３３Ａに比べて係止力の弱い第２ランス３３Ｂが大きく撓んで、第２弾性撓み部３４Ｂが破壊してしまう。破壊しない場合でも、第２弾性撓み部３４Ｂは第１弾性撓み部３４Ａに比べて変形し易いので、第２係止孔４７Ｂから解離してしまう。したがって、第２端子金具４４Ｂが第１電線４１Ａに追従してコネクタハウジング３１の後方へ引き抜かれる。また、第２端子金具４４Ｂを抜き取るのに必要な引張力と同じ力で第１電線４１Ａが引っ張られた場合は、第１ランス３３Ａの係止力は第２ランス３３Ｂよりも大きいので、第１ランス３３Ａは第１係止孔４７Ａに係止した状態を維持する。したがって、第１端子金具４４Ａが第１電線４１Ａと一緒にコネクタハウジング３１の外へ引き抜かれてしまうことはない。
【００３７】
本実施例２のワイヤーハーネス３０は、１つのコネクタハウジング３１に２種類の電線４１Ａ，４１Ｂ（導電路４０Ａ，４０Ｂ）の端末部が取り付けられているのであるが、この２種類の電線４１Ａ，４１Ｂを識別するための手段として、コネクタハウジング３１に、第１端子収容室３２Ａに挿入された第１端子金具４４Ａの抜取り方向の変位を規制する第１ランス３３Ａと、第２端子収容室３２Ｂに挿入された第２端子金具４４Ｂを第１規制部と同じく抜取り方向に変位規制し、規制強度が第１ランス３３Ａとは異なる第２ランス３３Ｂを設けている。
【００３８】
この構成によれば、第１電線４１Ａと第２電線４１Ｂに対し、第１ランス３３Ａ及び第２ランス３３Ｂによる規制に抗する向きの外力（抜取り力）を付与すると、第１ランス３３Ａと第２ランス３３Ｂのうち規制強度の弱い第２ランス３３Ｂだけが規制機能を失い、その規制機能が失われた第２ランス３３Ｂによって変位規制されていた第２端子金具４４Ｂが、変位規制を解除される。したがって、電線４１Ａ，４１Ｂに抜取り方向の外力を付与すれば、端子金具４４Ａ，４４Ｂが変位するか否かに基づいて、第１電線４１Ａと第２電線４１Ｂを同一種類毎に分別することができる。
【００３９】
＜実施例３＞
以下、本発明を具体化した実施例３を図５〜図７を参照して説明する。本実施例３のワイヤーハーネス５０は、１つのコネクタハウジング５１と、第１導電路６０Ａと、第２導電路６０Ｂとを備えて構成されている。尚、以下の説明において、前後方向については、図５，７の左側を前側ということにする。
【００４０】
コネクタハウジング５１は、合成樹脂製であり、コネクタハウジング５１の内部には、コネクタハウジング５１を前後方向に貫通する第１端子収容室５２Ａと、同じくコネクタハウジング５１を前後方向に貫通する第２端子収容室５２Ｂとが形成されている。第１端子収容室５２Ａの前端に近い位置には、第１端子収容室５２Ａに挿入された第１端子金具６４Ａを抜止めするための第１ランス５３Ａが形成されている。第２端子収容室５２Ｂの前端に近い位置には、第２端子収容室５２Ｂに挿入された第２端子金具６４Ｂを抜止めするための第２ランス５３Ｂが形成されている。
【００４１】
第１端子収容室５２Ａの前端は、第１端子収容室５２Ａに挿入された第１端子金具６４Ａを正規挿入位置において前止まり（挿入方向への変位を規制）するための第１前面壁５４Ａ（本発明の構成要件である第１規制部）で塞がれている。第１前面壁５４Ａには、相手側端子（図示省略）を第１端子収容室５２Ａ内に進入させるための第１挿入口５５Ａが前後に貫通して形成されている。同じく第１前面壁５４Ａには、第１ランス５３Ａを金型成形する際に形成される第１型抜き空間５６Ａが、第１挿入口５５Ａに連通した状態で開口されている。
【００４２】
第２端子収容室５２Ｂの前端は、第２端子収容室５２Ｂに挿入された第２端子金具６４Ｂを正規挿入位置において前止まり（挿入方向への変位を規制）するための第２前面壁５４Ｂ（本発明の構成要件である第１規制部）で塞がれている。第２前面壁５４Ｂには、相手側端子（図示省略）を第２端子収容室５２Ｂ内に進入させるための第２挿入口５５Ｂが前後に貫通して形成されている。同じく第２前面壁５４Ｂには、第２ランス５３Ｂを金型成形する際に形成される第２型抜き空間５６Ｂが、第２挿入口５５Ｂに連通した状態で開口されている。
【００４３】
この第２前面壁５４Ｂには、その変位規制強度（前止まり力）が第１前面壁５４Ａよりも小さくなるようにするために、スリット状をなす４つの肉抜き部５７が形成されている。図６に示すように、肉抜き部５７はＬ字形に屈曲した形状をなし、第２挿入口５５Ｂを対角方向に挟むような配置で、第２挿入口５５Ｂを包囲するように形成されている。肉抜き部５７を結ぶと方形をなすが、この方形は、第２端子収容室５２Ｂの内周壁（つまり、第２端子金具６４Ｂ及び第２電線６１Ｂ）よりも一回り大きい。この肉抜き部５７を形成したことにより、第２前面壁５４Ｂのうち肉抜き部５７で囲まれた領域は、易破壊部５８として機能する。この易破壊部５８は、第１前面壁５４Ａには形成されていない。
【００４４】
第１端子収容室５２Ａ内には、コネクタハウジング５１の後方から第１導電路６０Ａの前端部（第１端子金具６４Ａ）だけが挿入されるようになっており、第２導電路６０Ｂの前端部（第２端子金具６４Ｂ）は挿入されないように作業マニュアルに定められている。また、第２端子収容室５２Ｂ内には、コネクタハウジング５１の後方から第２導電路６０Ｂの前端部（第２端子金具６４Ｂ）だけが挿入されるようになっており、第１導電路６０Ａの前端部（第１端子金具６４Ａ）は挿入されないように作業マニュアルに定められている。第１導電路６０Ａを構成してコネクタハウジング５１の外部後方へ導出された第１電線６１Ａと、第２導電路６０Ｂを構成してコネクタハウジング５１の外部後方へ導出された第２電線６１Ｂは、導体の材料が互いに異なっている。したがって、１つのコネクタハウジング５１には、材料が異なる２種類の導電路が接続されている。
【００４５】
第１導電路６０Ａは、第１電線６１Ａと、第１端子金具６４Ａとを備えて構成されている。第１電線６１Ａは、銅合金製の第１導体６２Ａを第１絶縁被覆６３Ａで包囲した単芯線からなる被覆電線である。第１端子金具６４Ａは、第１導体６２Ａと同じく銅合金製であって、全体として前後方向に細長い形状に成形されている。第１端子金具６４Ａの前端部には第１角筒部６５Ａが形成され、後端部にはオープンバレル状をなす周知形態の第１圧着部６６Ａが形成されている。第１角筒部６５Ａには、第１ランス５３Ａと係止するための第１係止孔（図示省略）が形成されている。第１圧着部６６Ａには、第１電線６１Ａの前端部が圧着により接続されている。
【００４６】
第１端子金具６４Ａは、コネクタハウジング５１の後方から第１端子収容室５２Ａ内だけに挿入される。第１端子金具６４Ａが正規挿入されると、第１端子金具６４Ａの前端が第１前面壁５４Ａに対して後方から突き当たる。この当接作用によって第１前面壁５４Ａが変位規制機能を発揮し、第１端子金具６４Ａが、前止まり（挿入方向への変位を規制する）状態に保持される。同時に、第１ランス５３Ａが第１係止孔内に係止することにより、第１端子金具６４Ａは抜止め状態に保持され、第１電線６１Ａに後方への引張力が付与されても、第１ランス５３Ａが変位規制機能を発揮して、第１端子金具６４Ａは抜取り方向の変位を規制された状態に保持される。
【００４７】
第２導電路６０Ｂは、第２電線６１Ｂと、第２端子金具６４Ｂとを備えて構成されている。第２電線６１Ｂは、アルミニウム合金製（つまり、第１導体６２Ａとは異なり、且つ第１導体６２Ａよりも曲げ強度に高い金属材料）の第２導体６２Ｂを第２絶縁被覆６３Ｂで包囲した被覆電線である。第２電線６１Ｂと第１電線６１Ａの外径寸法は、殆ど同じである。しかも、第２絶縁被覆６３Ｂの材料と色は、いずれも第１絶縁被覆６３Ａと同じである。したがって、外観上、第１電線６１Ａと第２電線６１Ｂとを目視で識別することは困難となっている。
【００４８】
第２端子金具６４Ｂは、第１端子金具６４Ａと同じく銅合金製であり、全体として前後方向に細長い形状に成形されている。第２端子金具６４Ｂの前端部には第２角筒部６５Ｂが形成され、後端部にはオープンバレル状をなす周知形態の第２圧着部６６Ｂが形成されている。第２角筒部６５Ｂには、第２ランス５３Ｂと係止するための第２係止孔（図示省略）が形成されている。第２圧着部６６Ｂには、第２電線６１Ｂの前端部が圧着により接続されている。
【００４９】
第２端子金具６４Ｂは、コネクタハウジング５１の後方から第２端子収容室５２Ｂだけに挿入される。第２端子金具６４Ｂが正規挿入されると、第２端子金具６４Ｂの前端が第２前面壁５４Ｂに対して後方から突き当たる。この当接作用によって第２前面壁５４Ｂが変位規制機能を発揮し、第２端子金具６４Ｂが、前止まり（挿入方向への変位を規制する）状態に保持される。同時に、第２ランス５３Ｂが第２係止孔内に係止することにより、第２端子金具６４Ｂは抜止め状態に保持され、第２電線６１Ｂに後方への引張力が付与されても、第２ランス５３Ｂが変位規制機能を発揮して、第２端子金具６４Ｂは抜取り方向の変位を規制された状態に保持される。
【００５０】
第１前面壁５４Ａが第１端子金具６４Ａの挿入方向への変位を規制するとともに、第２前面壁５４Ｂが第２端子金具６４Ｂの挿入方向への変位を規制している状態では、第１前面壁５４Ａによる変位規制力（前止まり力）に比べて、第２前面壁５４Ｂによる変位規制力（前止まり力）の方が小さい。この変位規制力は、前面壁５４Ａ，５４Ｂの破壊強度によって決まる。本実施例３では、第２前面壁５４Ｂだけに肉抜き部５７による易破壊部５８が形成されているので、第２前面壁５４Ｂの破壊強度は第１前面壁５４Ａに比べて小さい。
【００５１】
第１導電路６０Ａと第２導電路６０Ｂがコネクタハウジング５１に接続されている状態で、第１電線６１Ａと第２電線６１Ｂを分別する際には、第１電線６１Ａと第２電線６１Ｂを同じ力で前方（挿入方向）へ押し込めばよい。もし、押し込んだものが第２電線６１Ｂである場合は、第２端子金具６４Ｂから付与される押圧力により、肉抜き部５７が剪断破壊して易破壊部５８がコネクタハウジング５１から分離し、第２端子金具６４Ｂが易破壊部５８の分離によって大きく開口した部分から前方へ飛び出す。第２電線６１Ｂを前方へ押圧する際に、座屈して押圧力が第２端子金具６４Ｂに伝わらなくなることが懸念されるが、第２電線６１Ｂを構成する第２導体６２Ｂは、比較的剛性の高いアルミニウム合金製なので、座屈する虞はない。
【００５２】
また、第２端子金具６４Ｂを押し出すのに必要な押圧力と同じ力で第１電線６１Ａを前方へ押し込んだ場合は、第１前面壁５４Ａの変位規制力は第２前面壁５４Ｂよりも大きいので、第１前面壁５４Ａは破壊することなく第１端子金具６４Ａを前止まり状態に保持する。したがって、第１端子金具６４Ａが第１電線６１Ａと一緒にコネクタハウジング５１の前方へ押し出されることはない。
【００５３】
本実施例３のワイヤーハーネス５０は、１つのコネクタハウジング５１に２種類の電線６１Ａ，６１Ｂ（導電路６０Ａ，６０Ｂ）の端末部が取り付けられているのであるが、この２種類の電線６１Ａ，６１Ｂを識別するための手段として、コネクタハウジング５１に、第１端子収容室５２Ａに正規挿入された第１端子金具６４Ａの挿入方向の変位を規制（前止まり）する第１前面壁５４Ａと、第２端子収容室５２Ｂに正規挿入された第２端子金具６４Ｂを第１規制部と同じく挿入方向に変位規制（前止まり）し、規制強度が第１前面壁５４Ａとは異なる第２前面壁５４Ｂを設けている。
【００５４】
この構成によれば、第１電線６１Ａと第２電線６１Ｂに対し、第１前面壁５４Ａ及び第２前面壁５４Ｂによる規制に抗する向きの外力（押込力）を付与すると、第１前面壁５４Ａと第２前面壁５４Ｂのうち規制強度の弱い第２前面壁５４Ｂだけが破壊されて規制機能を失い、その規制機能が失われた第２前面壁５４Ｂによって変位規制されていた第２端子金具６４Ｂが、変位規制を解除される。したがって、電線６１Ａ，６１Ｂに抜取り方向の外力を付与すれば、端子金具６４Ａ，６４Ｂが変位するか否かに基づいて、第１電線６１Ａと第２電線６１Ｂを同一種類毎に分別することができる。
【００５５】
＜他の実施例＞
本発明は上記記述及び図面によって説明した実施例に限定されるものではなく、例えば次のような実施例も本発明の技術的範囲に含まれる。
（１）上記実施例１では、端子金具の挿入方向と交差する方向に組み付けられるサイドリテーナについて説明したが、本発明によれば、コネクタハウジングの前方から組み付けられるフロントリテーナにも適用できる。
（２）上記実施例１に、実施例２のランスの係止力を相違させる形態や、実施例３の前面壁の破壊強度を相違させる形態を付加してもよい。
（３）上記実施例２では、第１ランスと第２ランスの係止力（規制強度）を、弾性撓み部の肉厚寸法を異ならせることによって相違させたが、係止代を異ならせることよって係止力を相違させてもよい。
（４）上記実施例２に、実施例１のリテーナの係止力を相違させる形態や、実施例３の前面壁の破壊強度を相違させる形態を付加してもよい。
（５）上記実施例１，２では、第１導体をアルミニウム合金製とし、第２導体を銅合金製としたが、第１導体を銅合金製とし、第２導体をアルミニウム合金製としてもよい。
（６）上記実施例３に、実施例１のリテーナの係止力を相違させる形態や、実施例２のランスの係止力を相違させる形態を付加してもよい。
（７）上記実施例１〜３では、導体を絶縁被覆で包囲した単芯線について説明したが、本発明は、単芯線に限らず、導体の外周を絶縁性のコアとシールド層と絶縁性のシースによって順に包囲した形態のシールド電線や、２本の導体をシースで一括して包囲したツイストペア線や、３本以上の導体をシースで一体化した多芯ケーブル等にも適用できる。
（８）上記実施例１〜３では、アルミニウム合金製の導体と銅合金製の導体との組み合わせについて説明したが、本発明は、第１導体と第２導体の材料の組み合わせがアルミニウム合金と銅合金である場合に限らず、他の金属材料の組み合わせである場合にも適用できる。
（９）上記実施例１〜３では、第１電線と第２電線の分別基準が導体の材料の違いである場合について説明したが、本発明は、分別基準が、導体の材料の違いである場合に限らず、絶縁被覆の材料の違いである場合や、シールド電線における編組線（シールド層）の材料の違いである場合等にも適用できる。この場合、第１導体と第２導体が同一の材料であってもよい。
（１０）上記実施例１〜３では、１つのコネクタハウジングに、異なる材料を用いた２種類の電線を取り付ける場合について説明したが、本発明は、１つのコネクタハウジングに３種類以上の電線が取り付けられる場合にも適用できる。この場合、規制部の係止力を電線の種類数と同じ段階数で相違させれば、全ての種類の電線を分別することが可能である。
【符号の説明】
【００５６】
１０，３０，５０…ワイヤーハーネス
１１，３１，５１…コネクタハウジング
１３…リテーナ
１４Ａ，３２Ａ，５２Ａ…第１端子収容室
１４Ｂ，３２Ｂ，５２Ｂ…第２端子収容室
１７Ａ…第１係止部（第１規制部）
１７Ｂ…第２係止部（第２規制部）
２１Ａ，４１Ａ，６１Ａ…第１電線
２１Ｂ，４１Ｂ，６１Ｂ…第２電線
２４Ａ，４４Ａ，６４Ａ…第１端子金具
２４Ｂ，４４Ｂ，６４Ｂ…第２端子金具
３３Ａ…第１ランス（第１規制部）
３３Ｂ…第２ランス（第２規制部）
５４Ａ…第１前面壁（第１規制部）
５４Ｂ…第２前面壁（第２規制部）
【図１】
2014035979.tif 000003
【図２】
2014035979.tif 000004
【図３】
2014035979.tif 000005
【図４】
2014035979.tif 000006
【図５】
2014035979.tif 000007
【図６】
2014035979.tif 000008
【図７】
2014035979.tif 000009